(57)【要約】【課題】水の電気分解において、水素ガスや酸素ガスが発生する。電解水が吐水される場合に、その発生したガスが一緒に送り出され、吐水配管途中にガス溜まりが起こり、吐水配管途中においてそれらが水路抵抗となる。水路抵抗のために酸性電解水とアルカリ性電解水の水量バランスが不安定になり、電解水の水質が安定しない。ガス抜き弁により、常に安定した電解水が生成できる電解水生成器を提供する。【解決手段】電解槽９によって生成された酸性電解水とアルカリ性電解水を吐出する吐水配管途中に逆止弁１３、１４が設けており、電気分解によって発生したガスをそれぞれ外気へ放出する機能を備える。【選択図】          図１
2005262195.tif 000002
【特許請求の範囲】
【請求項１】
収容した一対または二対以上の電極間に印加した所定電圧により外部供給源から供給される原水を電気分解して電解水を生成する電解槽を具備した電解水生成器において、陰極側で生成された陰極水と陽極側で生成された陽極水の吐水配管途中にガス抜き弁を、それぞれの配管に備えたことを特徴とする電解生成器。
【請求項２】
請求項１に記載の電解水生成器において、ガス抜き弁が１箇所または２箇所以上備えたことを特徴とする電解水生成器。
【請求項３】
請求項１に記載の電解水生成器において、電解促進補助剤添加用のポンプを備えたことを特徴とする電解水生成器。
【発明の詳細な説明】
【発明の詳細な説明】
【技術分野】
【０００１】  本発明は、電解槽内に供給された原水が電気分解されて電解水が生成される電解水生成器に関する。
【背景技術】
【０００２】  従来から、この種の電解水生成装置としては外部供給源からの原水を給水管を介して連続的に電解槽に供給するとともに、電解槽内の対を成した電極間に所定電圧を印加してこの原水を電気分解することにより電解水を生成している。この電気分解を促進させるために、ダイヤフラム式ポンプが電解補助液タンク内に蓄えられた濃塩水を塩水カプラを介して吸い込んで給水管に送出して原水に注入している。また電解水生成器は、電流センサーが電極間に流れる電流値を検知しており、生成の際には検出電流値が所望の電気量に相当する電流目標値より低ければ電解電圧を高くし、電流目標値より高ければ電解電圧を低く抑えることによって、検出電流値をほぼ電流目標値に保っている。【０００３】  このような電解水生成器では、電解生成中に陰極側で水素ガスが発生し、陽極側では酸素ガスが発生する。電解促進のために食塩を使用すると、陽極側では塩素ガスが発生する。電解水の生成能力を高めるために、電解補助剤として食塩や塩化カリウムなどの電解質を用いて電解電流を高い電流値に設定する使い方が多くなり、電解電流値に比例してガスの発生量が増加する。従来から、電解生成時に起こる化学反応は、電極板表面で反応をする為に電極板の保護として電解槽でこの発生したガスを取り除く構造を持ったものが大半をしめている。【０００４】  このような電解水生成器では、電解槽の電極保護が可能となるが、水の弱電解においては水中に水素ガスや酸素ガスが微細粒子として存在しているため、生成された電解水は吐水される配管途中で微細粒子ガスが核形成し、大きな気泡となって配管内部を存在することになる。そのため、殺菌用として使用されている強酸性電解水や強アルカリ性電解水が吐水される時などは電解水とガスが交互に排出される。
【発明が解決しようとする課題】
【０００５】  しかしながら、このような電解水生成装置においては、電解水とガスが交互に排出されるため、それぞれの配管内部の圧力が不均一となり、水量の比率が不安定となる。水量比率が不安定なまま電解電流値が一定に制御されていると電解水の水質が不安定となり、電解水を使用する際には問題があった。
【０００６】  本発明は、上記問題に対処するためになされたものであり、その目的は電解水生成後の吐水された配管途中にガス抜きの手段を講じることによって、水量の不安定が解消され、生成水質の不安定を確実に防止することができる電解水生成器を提供することにある。
【課題を解決するための手段】
【０００７】  上記目的を達成するために、本発明の構成上の特徴は、収容した一対または二対以上の電極間に印加した所定電圧により外部供給源から供給される原水を電気分解して電解水を生成する電解槽を具備した電解水生成装置において、陰極側で生成された陰極水と陽極側で生成された陽極水の吐水配管途中にガス抜き弁を、それぞれの配管に備えることによって微細粒子ガスが核形成し大きな気泡をガス抜き弁によって放出し、配管内部の圧力を均一に保つことにある。
【０００８】  また、上記ガス抜き弁を２箇所以上設けて長い配管に対応しても良い。
【０００９】  また、上記の電解水生成器において電解促進のための添加剤を混入し高い電解電流で使用するものと、添加剤を使用しない低い電解電流において使用する場合は、発生する気泡量が等量ではなく、配管の長さや設置状況によってガス抜きの設置箇所や数量を調整することにある。
【発明を実施するための最良の形態】
【００１０】  以下、本発明の実施の形態を図面を参照して詳細に説明する。
図１は本発明の実施の形態を示す図であって、この形態では電解水生成器について概略的に示している。【００１１】  この電解水生成器の構成は電解槽９を含む水路系部品と電解電源１８を含む電気系部品からなっている。また、外部には電解補助液タンク１２を備えている。【００１２】  前記の電解槽９の内部は隔膜板１１によって一対の電極室に区画されており、両電極室はそれぞれ給水管１を介して外部の原水供給源（例えば水道）に接続され、給水管１の途中には後述するように前記の電解補助液タンク１２に接続された塩水カプラ１７が接続されている。これにより前記の給水管１からの原水（水道水）は前記の塩水カプラ１７からの濃塩水が注入された希塩水となって両電極室に供給される。各電極室には一対の電極１０ａ、１０ｂが互いに対向するように収容され、これら両電極１０ａ、１０ｂ間には電解電源１８からの直流電圧が印加されて、前述のように供給された希塩水が電気分解されて電解水が生成される。前記の電解槽９の各電極室には酸性電解水吐水口１５とアルカリ性電解水吐水口１６がそれぞれ接続されており、生成された電解水はその先端部である酸性電解水吐水口１５とアルカリ性電解水吐水口１６から外部へ吐出される。【００１３】  前記の給水管１には、減圧弁４および開閉弁である給水電磁弁３が設けられている。前記の減圧弁４は外部供給源から圧送される原水の圧力を減圧し、所定圧力範囲内に保つ。前記の給水電磁弁３は電気制御回路により開閉（オン・オフ）制御され、開状態にて外部供給源からの原水を前記の給水管１を介して前記の電解槽９へ供給する。【００１４】  前記の塩水カプラ１７は、前記の給水電磁弁３下流の流量調整弁７に接続された定量ポンプ８の吐出口（吐出側）に接続している。前記の定量ポンプ８の吸い込み口は前記の塩水カプラ１７を中継して、前記の電解補助液タンク１２の上部から挿入されている。【００１５】  前記の定量ポンプ８は、チューブ式のものであり、チューブを押しつぶしながら吸い込んだ流体を吐出するものであり、その吐出量は電気制御回路によりポンプモーターの電圧を変化させることにより制御されている。電解水生成中には、前記の定量ポンプ８は前記の電解補助液タンク１２から濃塩水を吸い込んで前記の流量調整弁７に吐出して原水に注入し、これにより希塩水となった原水が前記の電解槽９に供給される。【００１６】  通水配管途中には流量センサー６が設けられており、前記の流量センサー６は原水の流量を検出して、水量が少ない場合には前記の電解電源１８の出力を停止し、通水量の異常状態を表示する。【００１７】  前記の電解槽９によって生成された酸性電解水とアルカリ性電解水を吐出する吐水配管途中には逆止弁１３、１４が設けており、電気分解によって発生したガスをそれぞれ外気へ放出する機能を備えている。【００１８】  以下ガス抜きのメカニズムの詳細を図２及び図３の部分図にて説明する。前記の電解槽９の下部には電解槽入水口２０を具備し、上部には電解槽酸性水出水口２１と電解槽アルカリ水出水口２２を具備している。前記の電解槽酸性水出水口２１はチーズ２３にて前記の酸性電解水吐水口１５と前記の逆止弁１４に分岐している。同様に前記の電解槽アルカリ水��水口２２はチーズ２３にて前記のアルカリ性電解水吐水口１６と前記の逆止弁１３に分岐している。入水すると流量センサー６が作動して、電解槽では前記の電解槽入水口２０から入水し電気分解を開始し、ガスが発生する、発生したガスは前記の電解槽酸性水出水口２１及び、電解槽アルカリ水出水口２２から電解水と共に出てゆく。「前記の電解槽酸性水出水口２１及び電解槽アルカリ水出水口２２以降は共通機能なので図３で示す一方で説明する。」さらに、ガスを含んだ電解水は前記のチーズ２３に到達する。前記のアルカリ性電解水吐水口１６は前記のチーズ２３より構造的に下方に配置してあり、前記の逆止弁１３は上方に配置してある。アルカリ性電解水は下方へ出力し、ガスは上方へ放出されて気水分離することができ、ガス抜きしている。
【発明の効果】
【００１９】  本発明は、以上説明したように構成されているので、以下に記載されるような効果を奏する。
電解槽９によって生成された酸性電解水とアルカリ性電解水の吐水配管途中に設けた逆止弁１３、１４によって、電気分解により発生した水中の溶存ガス成分を吐水配管途中から外気へ放出することができる。
【００２０】  吐水配管途中の溶存ガスが外気へ放出できることにより、配管内部に生じる圧力が酸性電解水（陽極側）とアルカリ性電解水（陰極側）で均一化され、お互いの水量比率が崩れることがない。そのため通水流量に合わせた電気量の確保ができ、生成された水質の安定が向上することができる。
【００２１】  また電解促進剤添加によって生じる電気量の大小の違いにおいて、電解で発生するガス量の違いにおいても、吐水配管途中に逆止弁などのガス抜き弁を１つまたは２つ以上設けることによって、ガスを外気へ放出できることができる。
【図面の簡単な説明】
【００２２】
【図１】本発明の実施形態に係る電解水生成装置のフロー図である。
【図２】本発明のガス抜き構造の部分図の正面図である。
【図２】本発明のガス抜き構造の部分図の側面図である。
【符号の説明】
【００２３】１  給水管                            ２  ストレーナ
３  給水電磁弁                        ４  減圧弁
５  フィルター                        ６  流量センサー
７  流量調整弁                        ８  定量ポンプ
９  電解槽                            １０ａ、１０ｂ  電極板
１１  隔膜板                          １２  電解補助液タンク
１３、１４  逆止弁                    １５  酸性電解水吐水口
１６  アルカリ性電解水吐水口          １７  塩水カプラ
１８  電解電源                        １９  排気口
２０  電解槽入水口                    ２１  電解槽酸性水出水口
２２  電解槽アルカリ水出水水口        ２４  チーズ
【図１】
2005262195.tif 000003
【図２】
2005262195.tif 000004
【図３】
2005262195.tif 000005
【手続補正書】
【提出日】平成16年5月19日(2004.5.19)
【手続補正１】
【補正対象書類名】明細書
【補正対象項目名】００２２
【補正方法】変更
【補正の内容】
【００２２】
【図１】本発明の実施形態に係る電解水生成装置のフロー図である。
【図２】本発明のガス抜き構造の部分図の正面図である。
【図３】本発明のガス抜き構造の部分図の側面図である。